【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
トナー粒子と、ドコサヘキサエン酸成分および飽和脂肪酸成分を含む絶縁性液体とを、有することを特徴とする液体現像剤。
【請求項２】
前記絶縁性液体における前記ドコサヘキサエン酸成分の含有率をＸ［ｍｏｌ％］、前記絶縁性液体における前記飽和脂肪酸成分の含有率をＹ［ｍｏｌ％］としたとき、０．５≦Ｘ／Ｙ≦５０の関係を有する請求項１に記載の液体現像剤。
【請求項３】
前記絶縁性液体は、グリセリンと、前記ドコサヘキサエン酸成分および前記飽和脂肪酸成分とのエステルとで構成されたものである請求項１または２に記載の液体現像剤。
【請求項４】
前記絶縁性液体における前記エステルの含有率は、９０ｗｔ％以上である請求項３に記載の液体現像剤。
【請求項５】
前記絶縁性液体は、酸化防止剤を含むものである請求項１ないし４のいずれか１項に記載の液体現像剤。
【請求項６】
前記酸化防止剤の含有量は、前記絶縁性液体１００重量部に対して、０．０１〜１５重量部である請求項５に記載の液体現像剤。
【請求項７】
前記酸化防止剤の熱分解温度は、２００℃以下である請求項５または６に記載の液体現像剤。
【請求項８】
前記酸化防止剤はアスコルビン酸ステアリン酸エステルである請求項５ないし７のいずれか１項に記載の液体現像剤。
【請求項９】
前記絶縁性液体は、前記ドコサヘキサエン酸成分の酸化重合反応を促進する酸化重合促進剤を含むものである請求項１ないし８のいずれか１項に記載の液体現像剤。
【請求項１０】
前記酸化重合促進剤は、脂肪酸金属塩である請求項９に記載の液体現像剤。
【請求項１１】
前記酸化重合促進剤の含有量は、前記絶縁性液体１００重量部に対して、０．０１〜１５重量部である請求項９または１０に記載の液体現像剤。
【請求項１２】
前記酸化重合促進剤は、カプセル化された状態で前記絶縁性液体に含まれる請求項９ないし１１のいずれか１項に記載の液体現像剤。
【請求項１３】
前記カプセル化は、前記酸化重合促進剤を多孔質体に吸着させた後、該多孔質体にポリエーテルで被覆することにより行ったものである請求項１２に記載の液体現像剤。
【請求項１４】
前記絶縁性液体のヨウ素価が、５０〜２００である請求項１ないし１３のいずれか１項に記載の液体現像剤。
【請求項１５】
トナー粒子と、酸化重合促進剤と、ドコサヘキサエン酸成分および飽和脂肪酸成分を含む絶縁性液体とを有する液体現像剤中の前記酸化重合促進剤と前記ドコサヘキサエン酸成分とが酸化重合反応する温度にて加熱定着を行なうことを特徴とする定着方法。
【請求項１６】
トナー粒子と、酸化重合促進剤と、ドコサヘキサエン酸成分および飽和脂肪酸成分を含む絶縁性液体とを有する液体現像剤現像部と、
前記現像部により現像された像を転写する転写部と、
前記転写部により転写された転写材を前記酸化重合促進剤が前記ドコサヘキサエン酸成分の酸化重合反応する温度にて加熱定着する定着装置と、
を有することを特徴とする画像形成装置。
【請求項１７】
トナー粒子と、酸化重合促進剤と、ドコサヘキサエン酸成分および飽和脂肪酸成分を含む絶縁性液体とを有する液体現像剤現像工程と、
前記現像部により現像された像を転写する転写工程と、
前記転写部により転写された転写材を前記酸化重合促進剤が前記ドコサヘキサエン酸成分の酸化重合反応する温度にて加熱定着する定着工程と、
を有することを特徴とする画像形成方法。
【手続補正２】
【補正対象書類名】明細書
【補正対象項目名】発明の名称
【補正方法】変更
【補正の内容】
【発明の名称】液体現像剤、定着方法、画像形成装置および画像形成方法
【手続補正３】
【補正対象書類名】明細書
【補正対象項目名】０００１
【補正方法】変更
【補正の内容】
【０００１】
本発明は、液体現像剤、定着方法、画像形成装置および画像形成方法に関するものである。
【手続補正４】
【補正対象書類名】明細書
【補正対象項目名】０００６
【補正方法】変更
【補正の内容】
【０００６】
本発明の目的は、保存性、長期安定性に優れるとともに、記録媒体へのトナー粒子の定着特性に優れ、かつ、環境に優しい液体現像剤を提供すること、また、このような液体現像剤を用いた定着方法、画像形成装置および画像形成方法を提供することにある。
【手続補正５】
【補正対象書類名】明細書
【補正対象項目名】０００７
【補正方法】変更
【補正の内容】
【０００７】
このような目的は、下記の本発明により達成される。
本発明の液体現像剤は、トナー粒子と、ドコサヘキサエン酸成分および飽和脂肪酸成分を含む絶縁性液体とを、有することを特徴とする。
これにより、保存性、長期安定性に優れるとともに、記録媒体へのトナー粒子の定着特性に優れ、かつ、環境に優しい液体現像剤を提供することができる。
【手続補正６】
【補正対象書類名】明細書
【補正対象項目名】０００８
【補正方法】変更
【補正の内容】
【０００８】
本発明の液体現像剤では、前記絶縁性液体における前記ドコサヘキサエン酸成分の含有率をＸ［ｍｏｌ％］、前記絶縁性液体における前記飽和脂肪酸成分の含有率をＹ［ｍｏｌ％］としたとき、０．５≦Ｘ／Ｙ≦５０の関係を有することが好ましい。
これにより、液体現像剤の保存性、長期安定性、および、記録媒体へのトナー粒子の定着特性のいずれをも、特に優れたものとすることができる。
【手続補正７】
【補正対象書類名】明細書
【補正対象項目名】０００９
【補正方法】変更
【補正の内容】
【０００９】
本発明の液体現像剤では、前記絶縁性液体は、グリセリンと、前記ドコサヘキサエン酸成分および前記飽和脂肪酸成分とのエステルとで構成されたものであることが好ましい。
これにより、液体現像剤の保存性、長期安定性、および、記録媒体へのトナー粒子の定着特性のいずれをも、特に優れたものとすることができる。
【手続補正８】
【補正対象書類名】明細書
【補正対象項目名】００１０
【補正方法】変更
【補正の内容】
【００１０】
本発明の液体現像剤では、前記絶縁性液体における前記エステルの含有率は、９０ｗｔ％以上であることが好ましい。
これにより、環境への負荷を特に低いものとしつつ、記録媒体へのトナー粒子の定着特性を特に優れたものとすることができる。
本発明の液体現像剤では、前記絶縁性液体は、酸化防止剤を含むものであることが好ましい。
これにより、液体現像剤の保存性、長期安定性を特に優れたものとすることができる。
【手続補正９】
【補正対象書類名】明細書
【補正対象項目名】００１１
【補正方法】変更
【補正の内容】
【００１１】
本発明の液体現像剤では、前記酸化防止剤の含有量は、前記絶縁性液体１００重量部に対して、０．０１〜１５重量部であることが好ましい。
これにより、液体現像剤の保存性、長期安定性を特に優れたものとすることができる。
【手続補正１０】
【補正対象書類名】明細書
【補正対象項目名】００１２
【補正方法】変更
【補正の内容】
【００１２】
本発明の液体現像剤では、前記酸化防止剤の熱分解温度は、２００℃以下であることが好ましい。
これにより、液体現像剤の保存性、長期安定性を優れたものとすることができるとともに、記録媒体へのトナー粒子の定着性をさらに優れたものとすることができる。
本発明の液体現像剤では、前記酸化防止剤はアスコルビン酸ステアリン酸エステルであることが好ましい。
本発明の液体現像剤では、前記絶縁性液体は、前記ドコサヘキサエン酸成分の酸化重合反応を促進する酸化重合促進剤を含むものであることが好ましい。
これにより、記録媒体へのトナー粒子の定着特性を特に優れたものとすることができる。
【手続補正１１】
【補正対象書類名】明細書
【補正対象項目名】００１４
【補正方法】変更
【補正の内容】
【００１４】
本発明の液体現像剤では、前記酸化重合促進剤は、カプセル化された状態で前記絶縁性液体に含まれることが好ましい。
これにより、液体現像剤の保存時における酸化重合反応をより確実に防止するとともに、定着時においてカプセルが定着時の圧力等によって潰れ、ドコサヘキサエン酸成分の酸化重合反応を確実に進行させることができる。
【手続補正１２】
【補正対象書類名】明細書
【補正対象項目名】００１５
【補正方法】変更
【補正の内容】
【００１５】
本発明の液体現像剤では、前記カプセル化は、前記酸化重合促進剤を多孔質体に吸着させた後、該多孔質体にポリエーテルで被覆することにより行ったものであることが好ましい。
これにより、液体現像剤中での酸化重合促進剤の分散性をより高いものとすることができる。
本発明の液体現像剤では、前記絶縁性液体のヨウ素価が、５０〜２００であることが好ましい。
これにより、記録媒体へのトナー粒子の定着特性を特に優れたものとすることができる。
本発明の定着方法は、トナー粒子と、酸化重合促進剤と、ドコサヘキサエン酸成分および飽和脂肪酸成分を含む絶縁性液体とを有する液体現像剤中の前記酸化重合促進剤と前記ドコサヘキサエン酸成分とが酸化重合反応する温度にて加熱定着を行なうことを特徴とする。
本発明の画像形成装置は、トナー粒子と、酸化重合促進剤と、ドコサヘキサエン酸成分および飽和脂肪酸成分を含む絶縁性液体とを有する液体現像剤現像部と、
前記現像部により現像された像を転写する転写部と、
前記転写部により転写された転写材を前記酸化重合促進剤が前記ドコサヘキサエン酸成分の酸化重合反応する温度にて加熱定着する定着装置と、
を有することを特徴とする。
本発明の画像形成方法は、トナー粒子と、酸化重合促進剤と、ドコサヘキサエン酸成分および飽和脂肪酸成分を含む絶縁性液体とを有する液体現像剤現像工程と、
前記現像部により現像された像を転写する転写工程と、
前記転写部により転写された転写材を前記酸化重合促進剤が前記ドコサヘキサエン酸成分の酸化重合反応する温度にて加熱定着する定着工程と、
を有することを特徴とする。